(57)【要約】【課題】  錠剤型物品を収納する容器に係り、とりわけ錠剤型物品を所定量だけ取り出すことに適した容器を提供する。【解決手段】  容器１０は、開口２２と錠剤型物品５を収納する収納部２４とを有する容器本体２０と、容器本体２０の開口周縁部２６に係合して容器本体２０に装着される中間連結体３０と、中間連結体３０の上方に設けられる蓋体１６と、を備えている。中間連結体３０は一側から他側に向かって延びるとともに他側において蓋体１６側に傾斜する底板３６を有し、底板３６の他側に貫通孔３１を設けられている。底板３６は、容器本体２０の収納部２４側において一側と他側とを結ぶ方向に沿って断面弧状となった輪郭有し、容器本体２０内に収納された錠剤型物品５を摺動させて貫通孔３１に案内する。【選択図】  図１
2006248567.tif 000002
【特許請求の範囲】
【請求項１】
開口と錠剤型物品を収納する収納部とを有する容器本体と、
容器本体の開口周縁部に係合して容器本体に装着される中間連結体と、
中間連結体の上方に設けられる蓋体と、を備え、
中間連結体は一側から他側に向かって延びるとともに他側において蓋体側に傾斜する底板を有し、底板の他側に貫通孔を設けられ、
底板は、容器本体の収納部側において一側と他側とを結ぶ方向に沿って断面弧状となった輪郭を有し、容器本体内に収納された錠剤型物品を摺動させて貫通孔に案内することを特徴とする容器。
【請求項２】
底板は、蓋体側においても一側と他側とを結ぶ方向に沿って断面弧状となった輪郭を有することを特徴とする請求項１に記載の容器。
【請求項３】
中間連結体は筒状の連結部をさらに有し、底板は連結部内に設けられていることを特徴とする請求項１または２に記載の容器。
【請求項４】
蓋体と中間連結体とが一体に形成されていることを特徴とする請求項１乃至３のいずれかに記載の容器。
【請求項５】
底板は、収納される錠剤型物品を予め設定した量だけ載置することができる大きさとなっていることを特徴とする請求項１乃至４のいずれかに記載の容器。
【発明の詳細な説明】
【技術分野】
【０００１】
本発明は、錠剤型物品を収納する容器に係り、とりわけ錠剤型物品を定量だけ取り出すことに適した容器に関する。
【背景技術】
【０００２】
従来、医薬品や健康食品等の錠剤型物品を収納する容器として、錠剤型物品を収納する収納部と収納部から錠剤型物品を取り出すための開口とを有した容器本体と、容器本体に装着されて開口を塞ぐ蓋体と、を備えたものが広く普及している。このような容器から錠剤型物品を取り出すには、まず蓋体を容器本体から取り外し、容器本体を手のひらに向けて傾斜させればよい。
【発明の開示】
【発明が解決しようとする課題】
【０００３】
しかしながら、容器本体の開口が大形状からなる場合、錠剤型物品を取り出し過ぎてしまうことが頻繁に生じ、錠剤型物品を所望の量だけ取り出すこと、例えば、２または３粒だけ計量して取り出すことは困難である。そして、錠剤型物品を手のひらに取り出しすぎた場合には、所望量だけを手のひらに残すようにして余分な錠剤型物品を容器に戻さなければならない。この作業は煩雑であり、さらには容器に錠剤型物品を戻し過ぎてしまうことも生じる。
【０００４】
一方、容器本体の開口が小形状からなる場合、容器本体の開口から一斉に大量の錠剤型物品が排出されてしまうことを防止することができる。しかしながら、この場合、容器の使用に先だって大量の錠剤型物品を容器内に収納する際に、時間と手間が必要になるという不具合が生じる。
【０００５】
本発明はこのような点を考慮してなされたものであり、錠剤型物品を収納する容器に係り、とりわけ錠剤型物品を定量だけ取り出すことに適した容器を提供することを目的とする。
【課題を解決するための手段】
【０００６】
本発明は、開口と錠剤型物品を収納する収納部とを有する容器本体と、容器本体の開口周縁部に係合して容器本体に装着される中間連結体と、中間連結体の上方に設けられる蓋体と、を備え、中間連結体は一側から他側に向かって延びるとともに他側において蓋体側に傾斜する底板を有し、底板の他側に貫通孔を設けられ、底板は、容器本体の収納部側において一側と他側とを結ぶ方向に沿って断面弧状となった輪郭を有し、容器本体内に収納された錠剤型物品を摺動させて貫通孔に案内することを特徴とする容器である。
【０００７】
本発明は、底板は、蓋体側においても一側と他側とを結ぶ方向に沿って断面弧状となった輪郭を有することを特徴とする容器である。
【０００８】
本発明は、中間連結体は筒状の連結部をさらに有し、底板は連結部内に設けられていることを特徴とする容器である。
【０００９】
本発明は、蓋体と中間連結体とが一体に形成されていることを特徴とする容器である。
【００１０】
本発明は、底板が収納される錠剤型物品を予め設定した量だけ載置することができる大きさとなっていることを特徴とする容器である。
【発明の効果】
【００１１】
本発明によれば、蓋体を装着したまま容器を傾けると、錠剤型物品が底板上を摺動して貫通孔へと案内される。したがって、貫通孔を介して底板と蓋体との間へと錠剤型物品をスムースに案内することができる。その後、容器を傾斜された状態から戻すことにより、底板の大きさに応じた所定量の錠剤型物品を底板上に載置することができ、これにより、蓋体を取り外して底板上から所望量の錠剤型物品を取り出すことができる。
【発明を実施するための最良の形態】
【００１２】
以下、図面を参照して本発明の実施の形態について説明する。
【００１３】
図１乃至図７は本発明による容器の一実施の形態を示す図である。
【００１４】
このうち図１は容器を示す分解斜視図であり、図２は容器を示す断面図であり、図３は容器を示す平面図である。なお、図２および図３においては、容器の底板上に錠剤型物品が配置されている状態が示されている。
【００１５】
図１乃至図３に示すように、容器１０は、開口２２と錠剤型物品５を収納する収納部２４とを有する容器本体２０と、略円筒状の外形を有し、容器本体２０の開口周縁部２６に係合して容器本体２０に装着される中間連結体３０と、中間連結体３０の上方に設けられる蓋体１６と、を備えている。なお、図３においては、蓋体１６を取り外した状態の容器１０が示されている。
【００１６】
ここで錠剤型物品５とは錠剤（医薬品）に限定されず、球状、円柱状、ラグビーボール状等の錠剤としてありふれた形状を有する薬、健康食品、菓子等を含む概念である。
【００１７】
図１に示すように、容器本体２０の開口周縁部２６は、容器本体２０の収納部２４を画定する部分から突出した環状の凸部からなっている。また、中間連結体３０の下側端面には、容器本体２０の開口周縁部２６と嵌合する環状の嵌合凹部３２が形成されている（図２）。これらの開口周縁部２６と嵌合凹部３２とを嵌合させることにより、中間連結体３０を容器本体２０上に取り外し自在に装着固定することができるようになっている（図２）。
【００１８】
一方、図１に示すように、中間連結体３０の上側端面には環状切り欠き３４が形成されている。この環状切り欠き３４は、蓋体１６の周縁部１８と嵌合するようになっており、中間連結体３０の環状切り欠き３４と蓋体１６の周縁部１８とを嵌合させることにより、蓋体１６を中間連結体３０上に取り外し自在に装着固定することができるようになっている（図２）。
【００１９】
そして、図２に示すように、容器本体２０と中間連結体３０と蓋体１６とを連結することにより、容器本体２０の開口２２は中間連結体３０を介して蓋体１６により塞がれた状態となり、容器１０を錠剤型物品５の収納体として用いることができるようになる。なお、上述した開口周縁部２６、嵌合凹部３２、環状切り欠き３４、および周縁部１８を適切に設計することにより、容器１０の内部を外部雰囲気から遮断された密閉状態に保つこともできる。
【００２０】
次に、中間連結体３０についてさらに詳述する。
【００２１】
図２および図３に示すように、中間連結体３０は、略円筒状の外形を有する連結部３３と、この連結部３３内に設けられ、一側から他側に向かって延びるとともに他側において蓋体１６側に傾斜する、すなわち他側において蓋体１６側へ接近する底板３６を有している。また、底板３６は他側まで完全に延びきっておらず、底板３６の他側に貫通孔３１が形成されている。底板３６は容器１０の開口２２を部分的に塞ぐようになっており、その一方で貫通孔３１は容器本体２０の収納部２４を外部に連通させている。なお、本実施の形態における一側とは図２および図３における紙面の左側であり、他側とは図２および図３における紙面の右側であり、図２は一側と他側とを結ぶ方向に沿った容器１０の断面を示している。
【００２２】
図２に示すように、容器本体２０の収納部２４側へ向いた底板３６の表面は、一側と他側とを結ぶ方向に沿った断面において弧状となった輪郭を有している。また、蓋体１６側へ向いた底板３６の表面も同様に、一側と他側とを結ぶ方向に沿った断面において弧状となった輪郭を有している。本実施の形態においては、容器本体２０の収納部２４側においても、また蓋体１６側においても、底板３６の表面は断面視円弧状の輪郭を有している。
【００２３】
図１および図２に示すように、底板３６は他側端部において、一側上方に配置され蓋体１６側に延びる第１延出部３８と、他側下方に配置され蓋体１６側に延びる第２延出部３９と、に分岐している。第１延出部３８は容器本体２０の収納部２４側へ向いた底板３６の表面の一部をなし、第２延出部３９は蓋体１６側へ向いた底板３６の表面の一部をなす。そして、図２に示すように、容器本体２０の収納部２４側へ向いた底板３６表面の一側と他側とを結ぶ方向に沿った断面における曲率は、蓋体１６側へ向いた底板３６表面の一側と他側とを結ぶ方向に沿った断面における曲率よりも小さくなっている。
【００２４】
このような底板３６の大きさを決定する底板３６の蓋体１６側表面における他側への延び出し長さ、および底板３６の断面視における曲率は、容器１０に収納される錠剤型物品５を予め設定した量だけ安定して底板３６の蓋体１６側表面上に載置することができるようにすることを考慮し、決定される。図２および図３に示すように、本実施の形態においては、３つの錠剤型物品５を底板３６上に安定して載置することができるようになっている。ここで予め設定した量とは、一度に服用（飲食）する錠剤型物品（医薬品等）の数量等を考慮して決定されることが好ましい。また、底板３６の蓋体１６側表面における他側端部、すなわち第１延出部３８の先端部と、蓋体１６との間の間隔は、容器１０に収納される錠剤型物品５がその間を通過することができるように決定されている。
【００２５】
一方、図３から明らかなように、第２延出部３９の延び出し長さを長くすると、貫通孔３１の大きさは小さくなる。そして、第２延出部３９の延び出し長さを長くした場合には後述するような作用を発揮することができ、その作用を発揮することができるよう適宜設計されればよい。また、本実施の形態の形態において、第２延出部３９の先端部と蓋体１６との間の間隔は、第１延出部３８と蓋体１６との間の間隔より大きくなっている。言い換えると、第１延出部３８の先端部と第２延出部３９の先端部との高さは異なっており、第１延出部３８の先端部の方が上方に配置されている。
【００２６】
次にこのような構成からなる本実施の形態の作用について、図１乃至図７を用いて説明する。
【００２７】
まず、容器本体２０と中間連結体３０とが連結されていない状態で、錠剤型物品５を容器本体２０に開口２２を介して収納する。この際、図１乃至図３に示すように、容器本体２０の開口２２は大形状からなっているので、錠剤型物品５を容器本体２０内に容易に収納することができる。
【００２８】
次に、容器本体２０の開口周縁部２６と中間連結体３０の嵌合凹部３２とを嵌合させることにより、容器本体２０上に開口２２を取り囲むよう中間連結体３０を装着することができる。また、容器本体２０への中間連結体３０の装着後あるいは装着前に、中間連結体３０の環状切り欠き３４に蓋体１６の周縁部１８を嵌合させることによって、蓋体１６を中間連結体３０上に装着する。これらの作業により、容器１０を錠剤型物品５の収納体として用いることができるようになる。
【００２９】
なお、上述したように、開口周縁部２６、嵌合凹部３２、環状切り欠き３４、および周縁部１８を適切に設計することにより、容器１０の収納部２４を外部雰囲気から遮断された密閉状態とすることができ、これにより、錠剤型物品５を適切な保管雰囲気中において保管すること、および適切な保管雰囲気で保管しながら錠剤型物品５を持ち運ぶこと等も可能となる。
【００３０】
次に、特に図４乃至図７を用い、容器１０から錠剤型物品５を取り出す際の作用について説明する。ここで図４乃至図７は容器１０を示す部分断面図である。
【００３１】
まず、図４に示すように、錠剤型物品５を収納するとともに蓋体１６が装着されたままの容器１０を蓋体１６が下方となるよう、一側を移動方向前方として傾斜させていく。すると、錠剤型物品５は容器１０内において蓋体１６側に移動するとともに、底板３６と蓋体１６との間にも入り込む。この際、容器本体２０の収納部２４側における底板３６の表面は断面において弧状の輪郭を有しているので、この表面上に到達した錠剤型物品５はこの表面上を摺動して貫通孔３１へと案内される。したがって、錠剤型物品５が貫通孔３１において詰まってしまうことなく、底板３６と蓋体１６との間をより確実に錠剤型物品５で充満させることができる。
【００３２】
次に、図５に示すように、他側が移動方向前方となるようにして、傾斜した状態の容器１０を蓋体１６が上方に配置されるように起こす。このとき、底板３６と蓋体１６との間であって、第１延出部３８の先端部より一側に位置していた錠剤型物品５は底板３６上に配置される。一方、それ以外の部分に配置されていた錠剤型物品５は、容器本体２０の収納部２４内へと戻っていく。特に本実施の形態においては、底板３６は他側端において第１延出部３８と第２延出部３９とに分岐しており、かつ第１延出部３８の先端部は第２延出部３９の先端部よりも上方に配置されている。したがって、底板３６と蓋体１６との間であって第１延出部３８の先端部と第２延出部３９の先端部との間に位置していた錠剤型物品５も確実に容器本体２０の収納部２４内へと戻っていく。すなわち、予め設定された所定量の錠剤型物品５のみが底板３６上に載置されるとともに、その他の錠剤型物品５が容器本体２０の収容部２４に戻った状態となる。したがって、容器は、容器に収納された錠剤型物品５から所定量の錠剤型物品５だけ底板上に取り上げるという計量機能を有しているのである。
【００３３】
その後、図６に示すように、蓋体１６を容器１０から取り外し、所望量の錠剤型物品５をつまんで容器１０から取り出すことができるし、または、図７に示すように、容器１０を一側が下方に配置されるよう再度傾斜させて所望量の錠剤型物品５を取り出すこともできる。
【００３４】
なお、本実施の形態においては、底板３６は他側端において第１延出部３８と第２延出部３９とに分岐しており、かつ第２延出部３９の先端部は第１延出部３８の先端部よりも他側まで延びている。したがって、わずかだけ容器１０を傾斜させた場合（図６）には、大きく傾斜させた場合（図４）と異なり、底板３６の第２延出部３９は錠剤型物品５を貫通孔３１から排出しないための規制部材として機能する。このため、第２延出部３９の他側へ向けた延び出し長さおよび表面の輪郭は、対象となる錠剤型物品５の流動性等を考慮した上で、このような規制部材としての機能に基づいて決定されることが好ましい。
【００３５】
以上のように本実施の形態によれば、容器本体２０に装着される中間連結体３０が一側から他側に向かって延びるとともに他側において蓋体１６側に傾斜する底板３６を有し、底板３６の他側に貫通孔３１を設けられている。そして、蓋体１６が装着されたままの容器１０を一側が下方となり他側が上方となるよう傾けることによって、蓋体１６と中間連結体３０の底板３６との間にその空間を満たすだけの錠剤型物品５が流入する。その後、容器１０の傾斜を戻すと、所定量の錠剤型物品５が底板３６上に載置された状態となり、これにより、蓋体１６を外して所望の量の錠剤型物品５を容易に取り出すことができる。この際、底板３６は一側と他側とを結ぶ方向に沿った断面において弧状となった輪郭を容器本体２０の収納部２４側において有しているので、錠剤型物品５が底板３６上を摺動して貫通孔３１に案内される。これにより、貫通孔３１に錠剤型物品５が詰まってしまうことが防止されるとともに、底板３６と蓋体１６との間に錠剤型物品５を確実に流入させることができる。
【００３６】
また、本実施の形態によれば、中間連結体３０が容器本体２０から取り外し自在となっていることから、容器１０の携帯前に錠剤型物品５を容器本体２０内へ初期充填する際、中間連結体３０を取り外し、開口２２を介して容器本体２０内に錠剤型物品５を直接入れることもできる。この場合、開口２２は貫通孔３１に比べて大形状であることから、大量の錠剤型物品５を容器本体２０内へ迅速かつ容易に収納することができる。
【００３７】
さらに、本実施の形態によれば、底板３６は一側と他側とを結ぶ方向に沿った断面において弧状となった輪郭を蓋体１６側において有しているので、錠剤型物品５を底板３６上に安定して載置することができる。したがって、容器１０を傾斜させた状態から戻した際に、計量された所定量の錠剤型物品５が底板３６上から貫通孔３１を介して容器本体２０に落下してしまうことを防止することができる。これにより、所望量の錠剤型物品５を容器本体２０から確実に取り出すことができる。
【００３８】
さらに、本実施の形態によれば、底板は収納される錠剤型物品を予め設定した量だけ載置することができる大きさとなっているので、計量された所定量の錠剤型物品だけを収納部２４から底板３６上に取り出すことができる。この観点から、本実施の形態において、容器１０は計量機能を有しているといえる。
【００３９】
なお、本実施の形態において、底板３６は他側端において第１延出部３８と第２延出部３９とに分岐している例を示したが、これに限られず、分岐しないように構成することもできる。また、底板３６が他側端において第１延出部３８と第２延出部３９との２つの部材のみに分岐するのではなく、徐々に先端部の高さ方向位置が低くなっていくとともに徐々に他側への延び出し長さが長くなっていく３以上の延出部に分岐するようにしてもよい。
【００４０】
また、本実施の形態において、容器本体２０の開口周縁部２６と中間連結体３０の嵌合凹部３２とを嵌合させることにより、中間連結体３０を容器本体２０に取り外し自在に取り付ける例を示したが、これに限られない。例えば、中間連結体３０を容器本体２０に別の嵌合方法を用いて取り付けてもよい。また、中間連結体３０と容器本体２０とにネジ山を設け、あるいはいずれか一方にネジ山を設け他方にネジ溝を設け、中間連結体３０を容器本体２０に螺合して取り付けるようにしてもよい。さらに、中間連結体３０と容器本体２０とに取付具をそれぞれ設け、この取付具を介して中間連結体３０を容器本体２０に取り付けるようにしてもよい。すなわち、中間連結体３０を容器本体２０に取り外し自在に取り付けることができる限りにおいて、適宜変更することができる。
【００４１】
また同様に、本実施の形態において、中間連結体３０の環状切り欠き３４と蓋体１６の周縁部１８とを嵌合させることにより、蓋体１６を中間連結体３０に取り外し自在に取り付ける例を示したが、これに限られない。例えば、蓋体１６を中間連結体３０に別の嵌合方法を用いて取り付けてもよい。また、蓋体１６と中間連結体３０とにネジ山を設け、あるいはいずれか一方にネジ山を設け他方にネジ溝を設け、蓋体１６を中間連結体３０に螺合して取り付けるようにしてもよい。さらに、蓋体１６と中間連結体３０とに取付具をそれぞれ設け、この取付具を介して蓋体１６を中間連結体３０に取り付けるようにしてもよい。すなわち、蓋体１６を中間連結体３０に取り外し自在に取り付けることができる限りにおいて、適宜変更することができる。
【００４２】
さらに、本実施の形態において、中間連結体３０と蓋体１６とが別体からなる例を示したが、これに限られない。図８に示すように、蓋体１６と中間連結体３０とが一体から構成されるようにしてもよい。
【００４３】
図８に示す変形例においては、蓋体１６はヒンジ１９を介して中間連結体３０に揺動自在に連結されている。すなわち、蓋体１６は中間連結体３０に開閉自在に連結されており、これにより、蓋体１６を用いて容器本体２０の開口２２を中間連結体３０を介して塞ぐことができるようになっている。その他の構成は、図１乃至図７を用いて説明した実施の形態と同一であり、同一部材には同一符号を付すとともに重複する詳細な説明は省略する。このような変形例においては、蓋体１６と中間連結体３０とが一体に形成されているので、取り扱いが容易であり、また蓋体１６を紛失してしまうことを防止することができる。
【００４４】
さらに、本実施の形態において、容器本体２０の収納部２４側を向いた底板３６の表面、および蓋体１６側を向いた底板３６の表面が、一側と他側とを結ぶ方向に沿った断面において円弧状の輪郭を有する例を示したが、これに限られない。容器本体２０の収納部２４側を向いた底板３６の表面については、錠剤型物品５を摺動させて貫通孔３１へ導くことができる限りにおいて、楕円弧状の輪郭を有してもよいし、一側から他側へ向けて曲率が適宜変化するようにしてもよい。また、蓋体１６側を向いた底板３６の表面については、所定量の錠剤型物品５を安定して載置することができる限りにおいて、楕円弧状の輪郭を有してもよいし、一側から他側へ向けて曲率が適宜変化するようにしてもよいし、さらには錠剤型物品５の形状に沿ったくぼみが所定個設けられるようにしてもよい。
【００４５】
さらに、本実施の形態において、中間連結体３０が略円筒状の外形を有する例を示したが、これに限られず、容器本体２０の開口２２の形状および蓋体１６の形状とともに適宜変更することができる。例えば、中間連結体が四角形筒状からなる連結部を有するようにすることができ、この場合、対角線上に一側と他側とを配置するようにしてもよい。また、本実施の形態によれば、容器本体２０の収納部２４が略壺状からなる外形を有する例を示したが、これに限られず、錠剤型物品５の形状や容器２０の携帯性等を考慮して適宜変更することができる。
【図面の簡単な説明】
【００４６】
【図１】本発明による容器の一実施の形態を示す分解斜視図。
【図２】容器を示す断面図。
【図３】容器を示す平面図。
【図４】容器を示す部分断面図。
【図５】容器を示す部分断面図。
【図６】容器を示す部分断面図。
【図７】容器を示す部分断面図。
【図８】容器の変形例を示す分解斜視図。
【符号の説明】
【００４７】
５  錠剤型物品
１０  容器
１６  蓋体
２０  容器本体
２２  開口
２４  収納部
２６  開口周縁部
３０  中間連結体
３１  貫通孔
３３  連結部
３６  底板
【図１】
2006248567.tif 000003
【図２】
2006248567.tif 000004
【図３】
2006248567.tif 000005
【図４】
2006248567.tif 000006
【図５】
2006248567.tif 000007
【図６】
2006248567.tif 000008
【図７】
2006248567.tif 000009
【図８】
2006248567.tif 000010